(57)【要約】【課題】従来の朱肉ケース等の捺印用の器具においては、器具本体と一体化されている捺印用マットが分離可能でないため、使い勝手が悪い。【解決手段】そこで本発明では、朱肉入れ器体２の底部外側に嵌合凹部６を形成し、この嵌合凹部に、捺印用マット７を取り外し可能に嵌合し、前記捺印用マットの弾性と摩擦力により保持する構成とした朱肉入れ１を提案している。捺印用マットの縁部の少なくとも一部や、朱肉入れ器体の嵌合凹部の縁部の少なくとも一部に、指掛かり部を形成すれば、嵌合凹部からの捺印用マットの取り外しを容易に行うことができる。【選択図】図４
2011126072.tif 000002
【特許請求の範囲】
【請求項１】
朱肉入れ器体の底部外側に嵌合凹部を形成し、この嵌合凹部に、捺印用マットを取り外し可能に嵌合し、前記捺印用マットの弾性と摩擦力により保持する構成としたことを特徴とする朱肉入れ。
【請求項２】
捺印用マットの縁部の少なくとも一部に、指掛かり部を形成したことを特徴とする請求項１に記載の朱肉入れ。
【請求項３】
朱肉入れ器体の嵌合凹部の縁部の少なくとも一部に、捺印用マットへの指掛かり部を形成したことを特徴とする請求項１に記載の朱肉入れ。
【発明の詳細な説明】
【技術分野】
【０００１】
本発明は朱肉入れ、特に、捺印用マットを一体に保持して携帯することが可能な朱肉入れに関するものである。
【背景技術】
【０００２】
書類に捺印をする場合、鮮明な印影を得るためには、書類の下にゴム製等の捺印用マットを敷く必要がある。そのため、例えば出先において相手に捺印を依頼することがある各種営業員は、契約書類に鮮明な印影を得るために、朱肉入れと共に捺印用マットを持ち歩く必要がある。
【０００３】
しかしながら、従来一般には、捺印用マットと朱肉入れは別々に構成されており、これらを一緒に持ち歩くのは不便であるため、捺印用マットを忘れてしまうことも多く、この場合には近くにあるノートや雑誌等をマットの代わりとして使用しなければならなくなり、面倒である。このため、捺印用マットを、朱肉入れと一体に構成する試みが従来からなされている。
【０００４】
例えば、特許文献１では、印鑑と朱肉パッドを収納可能とした印鑑ケースの回転蓋の上面に捺印用マットを貼り付けて一体化している。
【０００５】
また特許文献２では、回転蓋を設けた印鑑ケースの底部横方向に台板を延設し、その上方に間隔を置いて、印鑑が貫通可能な穴を設けた透明な押印ガイドを設け、台板の上面に捺印用マットを取り付けて一体化している。
【先行技術文献】
【特許文献】
【０００６】
【特許文献１】実開平５−５１６６８号公報
【特許文献２】特開平１１−３３４１９０号公報
【発明の開示】
【発明が解決しようとする課題】
【０００７】
上述した特許文献に記載されている捺印用器具では、捺印用マットが一体化されているため、持ち歩きには便利であるが、捺印用マットは、文字通りケースと一体に構成されていて分離することができないので、使用勝手が悪い。
【０００８】
例えば特許文献１では、捺印用マットは回転蓋を閉めた状態において使用するものであり、即ち、捺印用マットの使用と、朱肉の使用は、排他的に行わなければならず、非常に面倒である。
【０００９】
また、特許文献２では、捺印を使用とする書類は、必ず、押印ガイドの下方空間に置かなければならないので、やはり、使用形態が制限されて、使い勝手が悪い。
【００１０】
本発明が解決しようとする課題は、従来の朱肉ケース等の捺印用の器具においては、器具本体と一体化されている捺印用マットが分離可能でないため、使い勝手が悪いという点である。
【課題を解決するための手段】
【００１１】
上述した課題を解決するために，本発明では、朱肉入れ器体の底部外側に嵌合凹部を形成し、この嵌合凹部に、捺印用マットを取り外し可能に嵌合し、前記捺印用マットの弾性と摩擦力により保持する構成とした朱肉入れを提案するものである。
【００１２】
そして本発明では上記の構成において、捺印用マットの縁部の少なくとも一部に、指掛かり部を形成した朱肉入れを提案する。
【００１３】
また本発明では上記の構成において、朱肉入れ器体の嵌合凹部の縁部の少なくとも一部に、捺印用マットへの指掛かり部を形成した朱肉入れを提案する。
【発明の効果】
【００１４】
本発明の朱肉入れは、捺印用マットを、朱肉入れ器体の底部外側に形成した嵌合凹部に嵌合し、自体の弾性と摩擦力により保持するものであるので、保持して一体化した状態で、通常の朱肉入れと変わりなく持ち歩きできると共に、捺印用マットを容易に嵌合凹部から外し、分離した状態で使用することができる。
【００１５】
捺印用マットは、嵌合凹部に嵌合して保持された状態において、朱肉入れ器体の底部外面から突出しないように構成することにより、通常の朱肉入れと比較して何らの違和感が感じられない。
【００１６】
この場合、捺印用マットの取り外しは、捺印用マットの縁部の少なくとも一部又は朱肉入れ器体の嵌合凹部の縁部の少なくとも一部に形成した指掛かり部を用いて行うことができる。
【図面の簡単な説明】
【００１７】
【図１】図１は本発明に係る朱肉入れの第１の実施の形態の平面図である。
【図２】図２は本発明に係る朱肉入れの第１の実施の形態の底面図である。
【図３】図３は図１のＡ−Ａ線断面図である。
【図４】図４は図３に示した朱肉入れの蓋と捺印用マットを分離した状態を示すＡ−Ａ線断面図である。
【図５】図５は本発明に係る朱肉入れの第２の実施の形態を示す断面図である。
【図６】図６は本発明に係る朱肉入れの第３の実施の形態を示す断面図である。
【図７】図７は本発明に係る朱肉入れの第４の実施の形態を示す断面図である。
【図８】図８は本発明に係る朱肉入れの第５の実施の形態を示す断面図である。
【図９】図９は本発明に係る朱肉入れの第６の実施の形態を示すもので、（ａ）が底面図、（ｂ）は捺印用マットのみの底面図である。
【図１０】図１０は図９のＢ−Ｂ線断面図である。
【図１１】図１１は本発明に係る朱肉入れの第７の実施の形態を示すもので、（ａ）が底面図、（ｂ）は捺印用マットのみの底面図である。
【図１２】図１２は図１０のＣ−Ｃ線断面図である。
【図１３】図１３は本発明に係る朱肉入れの第８の実施の形態を示す断面図である。
【図１４】図１４は本発明に係る朱肉入れの第９の実施の形態を示す断面図である。
【図１５】図１５は本発明に係る朱肉入れの第１０の実施の形態を示す底面図である。
【図１６】図１６は本発明に係る朱肉入れの第１１の実施の形態を示す底面図である。
【発明を実施するための形態】
【００１８】
次に、本発明の実施の形態を添付図面を参照して説明する。
まず図１〜図４に示す第１の実施の形態において、符号１は本発明に係る朱肉入れを概括的に示すもので、２は朱肉入れ器体である。この朱肉入れ器体２は、朱肉パッド３を収納する凹部４を有し、蓋５を嵌合可能に構成している。そして本発明では、朱肉入れ器体２の底部外側に嵌合凹部６を形成し、この嵌合凹部６に捺印用マット７を嵌合し、この捺印用マット７の弾性と摩擦力により保持する構成としている。
【００１９】
この構成においては、捺印用マット７を、朱肉入れ器体２の底部外側に形成した嵌合凹部６に嵌合し、保持して一体化した状態で、通常の朱肉入れと変わりなく持ち歩きできる。
【００２０】
そして書類に捺印をする場合には、捺印用マット７を朱肉入れ器体２の嵌合凹部６から外して書類の下の適所に敷くことができ、捺印用マット７を外した朱肉入れ器体２は蓋５を外して朱肉パッド３を使用することができる。
【００２１】
本発明に係る朱肉入れ器体２はプラスチック等の成形品として構成することができるが、この際、嵌合凹部６の角部には、成形時に突出部が形成されてしまって捺印用マット７の嵌合に支障を来さないようにするために予め凹部８を設けることができる。
【００２２】
捺印用マット７を朱肉入れ器体２の嵌合凹部６に嵌合させた状態においては、図３、図５に示されるように、捺印用マット７の外面が、朱肉入れ器体２の底面と面一となるようにする他、図６に示すように、捺印用マット７の外面が、朱肉入れ器体２の底面よりも内側に位置するようにすることもできる。この場合には、捺印用マット７がより外れ難い構成となる。
【００２３】
また図示は省略しているが、逆に捺印用マット７の外面が、朱肉入れ器体２の底面よりも僅かに外側に位置するようにすることで、捺印用マット７の外縁全体を指掛かり部として構成することができ、この指掛かり部により外し操作を容易に行うことができる。
【００２４】
このような捺印用マット７の指掛かり部は、図７に示すように、捺印用マット７の縁部に斜面９の面取りを行って形成することもできる。
【００２５】
また逆に、図８に示すように、朱肉入れ器体２の嵌合凹部６の縁部に斜面１０の面取りを行って指掛かり部を形成することもできる。
【００２６】
以上の実施の形態では、指掛かり部を捺印用マット７又は嵌合凹部６の縁部の全周に渡って構成しているが、指掛かり部は、それらのいずれかの縁部の少なくとも一部にのみ形成することもできる。
【００２７】
例えば図９、図１０に示す実施の形態では、指掛かり部は、捺印用マット７の縁部の一部を切り欠き、その切欠部１１を指掛かり部として構成している。また図１１、図１２に示す実施の形態では、指掛かり部は、朱肉入れ器体２の嵌合凹部６の縁部の一部を切り欠き、その切欠部１２を指掛かり部として構成している。その他の構成は、上述した第１の実施の形態の構成と同様であるので、対応する構成要素に同一の符号を付して重複する説明を省略する。
【００２８】
一方、本発明の朱肉入れにおいては、朱肉入れ器体２の嵌合凹部６の開口側をやや狭く形成し、捺印用マット７の縁部を対応した形状とすることにより、更に外れにくくすることができる。この場合においても、図１３に示すように捺印用マット７の縁部の一部に形成した切欠部１１を指掛かり部として構成したり、朱肉入れ器体２の嵌合凹部６の縁部の一部に形成した切欠部１２を指掛かり部として構成することにより、それらを使用して捺印用マット７の取り外しを行うことができる。
【００２９】
以上に説明した本発明に係る朱肉入れは、朱肉入れ器体２の平面形状を、通常の広く使用されている円形とすると共に、捺印用マット７及びそれを嵌合する嵌合凹部６も円形として構成しているが、例えば図１５に示すように円形状の朱肉入れ器体２に対して捺印用マット７を方形状として構成したり、図１６に示すように、方形状の朱肉入れ器体２に対して捺印用マット７を円形状に構成することができる。
【符号の説明】
【００３０】
１              朱肉入れ
２              朱肉入れ器体
３              朱肉パッド
４              凹部
５              蓋
６              嵌合凹部
７              捺印用マット
８              凹部
９，１０        斜面（指掛かり部）
１１，１２      切欠部
【図１】
2011126072.tif 000003
【図２】
2011126072.tif 000004
【図３】
2011126072.tif 000005
【図４】
2011126072.tif 000006
【図５】
2011126072.tif 000007
【図６】
2011126072.tif 000008
【図７】
2011126072.tif 000009
【図８】
2011126072.tif 000010
【図９】
2011126072.tif 000011
【図１０】
2011126072.tif 000012
【図１１】
2011126072.tif 000013
【図１２】
2011126072.tif 000014
【図１３】
2011126072.tif 000015
【図１４】
2011126072.tif 000016
【図１５】
2011126072.tif 000017
【図１６】
2011126072.tif 000018